(57)【特許請求の範囲】
【請求項１】
物へのアクセスを制御する方法であって、
該方法は物又はその包装を、セキュリティ手段に連結する連結手段によって固定するステップであって、該連結手段は選定された外部又は内部信号によって解放されることができるものである、ステップ、及び、
選定された外部又は内部信号によって解放するステップ、を含む、
ことを特徴とする方法。
【請求項２】
前記物の包装が前記連結手段を用いて固定される請求項１に記載の方法。
【請求項３】
前記信号が、内部信号であり予め決められた期間の満了を示す信号である、請求項２に記載の方法。
【請求項４】
前記物が薬品、又は腐敗し易い食品である請求項３に記載の方法。
【請求項５】
前記信号が、外部信号であり認可されていないアイテムの接近を示す信号である、請求項１に記載の方法。
【請求項６】
認可アイテムがサービスマニュアルである請求項５に記載の方法。
【請求項７】
前記物又はその包装が所定の場所内又は所定の区域外にあるとき前記信号が供給される請求項１に記載の方法。
【請求項８】
前記信号が広域位置決定技術を用いて供給される請求項７に記載の方法。
【請求項９】
セキュリティ手段は、セールスコンソール、セキュリティケーブル及びセールスハンガーから選択される請求項１に記載の方法。
【請求項１０】
遠隔作動で前記連結手段が解放可能であり、前記信号が遠隔作動により供給される請求項１に記載の方法。
【請求項１１】
物の販売方法であって、物又はその包装をセキュリティ手段へ連結する連結手段によって固定するステップであって、該連結手段は遠隔作動により解放されることができるものである、ステップと、この物を購入する申し込みを引き受けるステップと、遠隔操作手段を起動することにより上記連結手段を解放するステップと、を含んで成る方法。
【請求項１２】
連結手段は、ロック位置と解放位置間に可動のロック手段を含み、このロック手段は、少なくとも一つは可撓性である壁を備えた通路内に配置されており、このロック手段はこれがロック位置にある時、壁を離して保持し、かつこれが解放位置にある時、壁の少なくとも一つの偏向を許容する、請求項１１の方法。
【請求項１３】
前記物が一つ以上の包装要素内に閉じ込められ連結手段により包装体内に固定される請求項１１又は１２に記載の方法。
【請求項１４】
購入する申し込みが電話、インターネット通信又はそれ等の組み合わせで伝達される請求項１１〜１３の何れか一項に記載の方法。
【請求項１５】
前記連結手段がパスワードの入力、電流、電子信号、磁気力、電磁力、電磁誘導、無線信号、赤外線信号及び高周波加熱から成る群より選ばれた遠隔作動手段により解放される請求項１１〜１４の何れか一項に記載の方法。
【請求項１６】
前記包装体は、物がそれに封入されていても物が見えるようにして成り、この包装体を覆い隠し、それに封入された物を見えなくする更なるステップを含んで成る請求項１３に記載の方法。
【請求項１７】
前記包装体が非透過状態に変化可能な透過材料を含んで成り、この透過材料の非透過状態への変化を起させることにより前記覆い隠しステップが行われる請求項１６に記載の方法。
【請求項１８】
前記包装体が広がり可能な密閉体を含んで成り、前記覆い隠しステップが密閉体を広げることにより行われる請求項１６に記載の方法。
【請求項１９】
前記連結手段を解放するステップが所定の日に、又は所定の場所で起こるようにして成る請求項１１に記載の方法。
【請求項２０】
物が更なる連結手段により前記包装体内に固定され、該包装体が遠隔作動により解放可能な前記連結手段によってセキュリティ手段にロックされ、上記更なる連結手段は上記連結手段の解放にも拘らず、物を上記包装体内に固定出来、上記更なる連結手段を解放して物を露呈するステップを含んで成る請求項１３に記載の方法。
【請求項２１】
前記更なる連結手段が包装体に組み込まれたプログラム指令（コマンド）により解放される請求項２０に記載の方法。
【請求項２２】
前記コマンドが音声コマンドの受容、所定の期間の満了及び前記更なる連結手段の所定の場所又は所定の区域外への位置付けから成る群より選ばれる請求項２１に記載の方法。
【請求項２３】
物の包装であって、該包装が一つ又は複数の包装体と該包装体をセキュリティ手段に固定するための連結手段とを含み、該連結手段が遠隔作動により解放可能である、ことを特徴とする包装。
【請求項２４】
前記包装体が物を封入出来るものである請求項２３に記載の包装。
【請求項２５】
前記連結手段が前記包装体を自身に、又は一つの包装体を他の包装体に連結することにより物を包装体内に固定出来る請求項２４に記載の包装。
【請求項２６】
前記連結手段がパスワードの入力、電流、電子信号、磁気力、電磁力、電磁誘導、無線信号、赤外線信号及び高周波加熱から成る群より選ばれる遠隔作動手段により解放出来る請求項２３〜２５の何れか一項に記載の包装。
【請求項２７】
前記包装体又はその少なくとも一つは、物がそれに封入されていても物が見え、そして封入された物を見えなくすることも出来る請求項２３〜２６の何れか一項に記載の包装。
【請求項２８】
前記包装体が、適宜の手段の適用により非透過状態への変化が可能な透過材料を含んで成る請求項２７に記載の包装。
【請求項２９】
前記適宜の手段が電流である請求項２８に記載の包装。
【請求項３０】
前記適宜の手段により前記透過材料が蛍光を発し、非透過となる請求項２８に記載の包装。
【請求項３１】
前記包装体が、広がって前記包装体を覆い隠す密閉体を含んで成る請求項２７に記載の包装。
【請求項３２】
場所に関して包装を追跡できる手段を更に含んで成る請求項２３〜３１の何れか一項に記載の包装。
【請求項３３】
前記追跡可能手段が衛星技術による広域位置決めを用いて成る請求項３２に記載の包装。
【請求項３４】
アラーム作動手段を含んで成る請求項２３〜３３の何れか一項に記載の包装。
【請求項３５】
前記包装が許可無しに所定の区域を越えて動かされると、前記アラーム作動手段がアラームを発することが出来る請求項３４に記載の包装。
【請求項３６】
照明手段を更に含んで成る請求項２３〜３５の何れか一項に記載の包装。
【請求項３７】
作動すると物に関する情報を提供する作動可能手段を更に含んで成る請求項２３〜３６の何れか一項に記載の包装。
【請求項３８】
前記作動可能手段が視覚、聴覚、アクセス又は嗅覚刺激により作動する請求項３７に記載の包装。
【請求項３９】
物がくじである請求項１１に記載の方法。
【請求項４０】
請求項１の方法を実施する安全販売システムであって、安全手段と、所定の外部又は内部信号により解放可能な前記連結手段を含んで成るシステム。
【請求項４１】
前記連結手段が前記所定の信号を受信出来るインテリジェント部を有し、該インテリジェント部が前記安全手段に存する請求項４０に記載のシステム。
【請求項４２】
前記連結手段が前記所定の信号を受信出来るインテリジェント部を有し、該インテリジェント部が前記物に存する請求項４０に記載のシステム。
【請求項４３】
前記連結手段が複数のインテリジェント部を有し、その少なくとも一つが前記安全手段に存し、その少なくとも一つが前記物に存する請求項４０に記載のシステム。
【請求項４４】
請求項１１の方法を実施する安全販売システムであって、安全手段と、遠隔作動により解放可能な前記連結手段を含んで成るシステム。
【請求項４５】
前記連結手段が前記所定の信号を受信出来るインテリジェント部を含んで成る請求項４３のシステム。
【請求項４６】
前記連結手段が前記所定の信号を受信出来るインテリジェント部を有し、該インテリジェント部が前記物に存する請求項４３のシステム。
【請求項４７】
前記連結手段が複数のインテリジェント部を有し、その少なくとも一つが前記安全手段に、少なくとも一つが前記物に存する請求項４３に記載のシステム。
【請求項４８】
前記安全手段が、一つ又は複数の物又はそれ等の包装を保管出来るセールスコンソールである請求項４０〜４７の何れか一項に記載のシステム。
【請求項４９】
前記安全手段がセキュリティーケーブル又はセールスハンガーである請求項４０〜４７に記載のシステム。
【発明の詳細な説明】
【産業上の利用分野】
【０００１】  本発明は新規な形態の包装、物を包装かつ連結する新規な方法、新規な売買装置（システム）及び物へのアクセスを制御する方法に関する。
【背景技術】
【０００２】  ＷＯ９９／４７８１９として公開された国際特許出願ＰＣＴ／ＡＵ９９／００１８５には、遠隔作動により第一のエレメントと第二のエレメントを固定又は解放する新規な方法が開示されている。同明細書にはまた、第一と第二のエレメントを固定又は解放出来る新規な形態の連結手段が開示されている。この連結手段には、遠隔作動によりロック位置とアンロック位置の間を可動なロック手段が含まれていた。【０００３】  国際特許出願ＰＣＴ／ＡＵ９９／００１８５における開示を参照により、本明細書に取り入れる。【０００４】  本発明はＰＣＴ／ＡＵ９９／００１８５に開示された発明の発展であって、従来の商品売買及び安全手順の重要な前進を意味する。【０００５】  従来の小売販売においては、販売用の製品は普通二つの方法の何れかで陳列される。第一の場合、多数の製品が一緒に、例えばスーパーマーケット環境で陳列される。この場合、購入者は望む製品をスーパーマーケットの棚又は区分けだなから選び、これ等の製品をレジにより処理させ、購入価格を支払い、製品と共に去る。場合によっては、購入者が製品を選ぶ前に相談できるお客様係が居ることもある。【０００６】  第二の場合においては、製品はしばしば単品で、或いは少ない数量で、展示区域に、或いは陳列戸棚に封入されて陳列される。これは、販売価格がかなりの製品を陳列する場合に優先される方法である。一般に、販売員が近くに居て、製品を購入する客を助ける。しばしば、同じ販売員が、購入者による製品の購入支払いを処理する。【０００７】  特に価格がかなりの製品の場合、製品はしばしば陳列ケース内にロックされている。有望な顧客が製品をもっと見たい場合、販売員が展示キャビネットの鍵を見つけ、展示キャビネットを開錠し、製品をそれが買われない場合展示キャビネットに戻し、展示キャビネットを再ロックすることが必要である。これは時間が掛かり、不便である。【０００８】  お客様係、レジ係及び販売員を供給するコストはかなりのものであり、出来ればかかるコスト要因を最小にすることが望ましい。
【発明が解決しようとする課題】
【０００９】  本発明はその一特定形式において、対象又は物へのアクセスを制御する方法を提供することを目的とする。
本発明はまた、少なくともその実施態様によっては、店員、販売員又はレジ係の必要を実質上少なくする商品売買方法を提供すること目的とする。
本発明はその一実施態様において、購買時点における組み込み「包装」機能を備える商品売買装置（システム）を提供することを目的とする。
本発明は他の一実施態様において、規定の時刻では、又はコマンド等の何か他の規定トリガーの後は、開けることが制限される包みに包装して物を提供する売買方法を提供することを目的とする。
本発明は更に他の一実施態様において、包装の追跡を、広域位置決定技術を介して可能に出来る製品包装を提供することを目的とする。
【課題を解決するための手段】
【課題を解決するための手段】
【００１０】
従って、本発明はその一側面において、物へのアクセスを制御する方法であって、物又はその包装を、セキュリティ手段に連結する連結手段によって固定するステップと、該連結手段はトリガーの用意のある選定された外部信号又は内部信号によって解放されることができ、及び、トリガーの用意のある選定された外部信号又は内部信号によって解放するステップと、を含み、該トリガーは、予め決められた期間の期間又は暦日、物又はその内装の位置、及び、認可されたアイテムへの物の接近、から選択されることを特徴とする。
【００１１】  他の一側面において本発明は、物を販売する方法であって、物又はその包装を、セキュリティ手段に連続する手段によって固定するステップと、該連続手段は遠隔作動により解放可能であり、この物を購入する申し込みを引き受けるステップと、遠隔操作手段を起動することにより上記連結手段を解放するステップとを含んで成る方法を提供する。
【００１２】  本発明のこれ等の側面において、上記物は種々の異なる形式の物、特に価格の高いものから選ぶことが出来る。高価格な物（商品）を販売するのに本方法が用いられると云うことは特に興味あることではあるが、本発明は必ずしもこの種の製品に限定されるわけではない。
【００１３】  物の固定は直接でも、或いは一つ又は複数の包装体を介してでも良い。物を一つの包装体に包んで保管する場合には、物をその包装体で完全に包むようにするのが良い。そして例えば、包装体は物を封入するようにして、その縁部に沿って固定される。
【００１４】  だが、多くの状況において、二つ以上の包装体をぴったり合わせて物を封入することもできる。ここでも、これ等の包装体で物を完全に包むようにした方が良い。
【００１５】  物、又は物の周りに固定される包装体は、遠隔作動により解放が可能なようにする。かかる手段は例えば、国際特許出願ＰＣＴ／ＡＵ９９／００１８６に開示されているようなものである。遠隔作動により解放可能な他の連結手段でも良い。
【００１６】 好ましくは、連結手段はロック位置と非ロック位置との間に可動のロック手段を含み、このロック手段は少なくとも一つが可撓性である壁を備えた通路内に配置され、このロック手段は、ロック手段がロック位置にある時は壁を離して保持し、非ロック位置にある時は壁の少なくとも一つの偏向を許容する。
【００１７】  本発明による物の売買方法においては、物を購入する申し出を受けた後、連結手段は解放される。購入の申し出は、適宜であればどのような仕方で受けても良い。例としては、購入の申し出は電話により、携帯電話であっても伝達可能である。購入の申し出に、製品の購入価格を特定のクレジット又はデビットカードに課することの認可（オーソライズ）が伴うようにすることが出来る。他の例としては、申し出がインターネットを介して伝達されるようにすることも出来る。他の適宜の方式は疑いも無く、今後１０〜２０年の間に発達するであろうし、これ等も同様に本発明方法に適応可能であろうし、従ってその範囲内にあると云うべきである。
【００１８】  物を固定保管する連結手段は、適宜であればどんな遠隔作動手段によってでも解放されるようにしても良い。選ばれる遠隔作動手段は、連結手段の性質に大きく依存するだろう。例の幾つかが国際特許出願ＰＣＴ／ＡＵ９９／００１８５に記載されているが、それ等の幾つかを本発明に関連して用いることも出来る。
【００１９】  他の例を、以下に述べる。
【００２０】  遠隔作動手段はパスワードを設定して、これがファックス、電話、インターネット、郵便又は他の適宜の方法で購入者に送られるようにすることも出来る。他の例としては、電子信号を用い。これが（電話、無線又は他の手段で）連結手段に送られ、それにより連結手段を解放させるようにすることも出来る。
【００２１】  本発明の方法が小売技術に革命をもたらし得ることが当業者に理解されよう。例えば、店は、全世界の色々な場所に有る大型チェーン店であっても、現場人員無しに操業が可能である。販売しようとする物は、本発明による安全に保管されたパッケージの状態で陳列される。また、パッケージされていなくても、物は安全に固定されて陳列される。限られた数の販売促進係のみが、電話で呼び出し可能にしてあれば良い。かかる販売促進係は、店の場所から離れていても良いセンター部に配置されていれば良い。予定購入者は販売促進係に電話で接し、そして販売促進係は特定の物についての購入者の質問に答え、そして販売が進むことになれば、物を購入する購入者の申し出を受け入れ、購入者のクレジット又はデビットカードによる支払いを処理し、遠隔作動手段を起動して購入された物を購入者が持ち去るのを可能にする。
【００２２】  店員が現場に居て、製品が入っている陳列キャビネットをロック、アンロックする必要は無い。一方、一人又は複数の店員を現場に居させるのが望ましい場合にも、その仕事は本発明の方法により大きく緩和される。特に、店員が一旦製品の購入を処理したら、店員は遠隔作動手段を用いることにより、例えば遠隔作動手段を製品に向け、適切なボタンを「クリック」することにより必要信号を供給するだけで、製品又はその包装を解放することが出来る。
【００２３】  上記のように製品情報は販売促進係から入手可能とすることが出来るが、これは本発明の方法の動作に必須なものではない。例えば、製品の又は他の情報が物自体又はその包装又は周囲の環境から得られ得るようにすることが出来る。これをどうすれば良いかの一例として、潜在的購入者である人のアクセスを検出するための手段を設けることを伴う。人のアクセスの検出により、音声、視覚又は音声／視覚メッセージが発せられるようにすることが出来る。或いは又、検出される人が所定の身長以上である場合（製品が子供用でない場合）、又は人が所定時間の間去らない場合にのみ、メッセージが発生されるようにすることが出来る。最も初歩的には、購入予定者が例えば、触れることによるメッセージの起動を求められるようにすることが出来る。購入予定者が香水又は食品のサンプルを開けたときのように、メッセージが嗅覚刺激により起動されるようにしても良い。また、音声又は視覚刺激によりメッセージが起動されるようにしても良い。
【００２４】  この実施例で提供される情報は静的なものでも、例えば所定の周期で変化するものでも良い。この情報は上記の例示のように起動されるようにしても良い。購入予定者がメニューから、或いは口頭での又は電子的対話を介してオプションを選ぶようにする対話を通して、情報が提供されるようにしても良い。
【００２５】  後の、図面についての説明から分かるように、本発明の方法の実施例としては多くのものがある。例えば、物へのアクセスを制御する、或いは連結手段を解放させる「知能」や、「ラッピング」[ｗｒａｐｐｉｎｇ]（以下、より詳細に述べる）等の他の「知能」可能化オプションが物に存するようにすることが出来る。これが特に好都合なのは、物が例えばコンピュータである場合である。他の一例として、セールスコンソールやセキュリティーケーブル等、物が連結される何かに存するようにすることも出来る。これ等両極端の中間、即ち「知能」の或ものが物に存し、「知能」の或ものが他の場所に存するようにする配置も可能である。
【００２６】  更に、潜在的購入者に適宜の仕方で予備登録することを求める販売環境において本発明の方法を作動させるようにすることも出来る。例えば、潜在的購入者が物を詳しく調べ、手に取って見たい場合には、この潜在的購入者はクレジット又はデビットカードを「通す」ことが求められ、次いで物の価格が直ちにその借り方勘定に記入されるようにすることが出来る。その上で、購入者は物を詳しく調べ、手に取って見ることが出来る。購入者が物を買わないと決めたら、物が所定時間内に元の位置に戻された場合に限り、その前の借り方記入は逆転される。この実施例では、クレジット又はデビットカードの「通し」が連結手段に、物をそれが精査され、手に取って見られるように解放させる外部信号を提供する。
【００２７】  本発明はそのもう一つの側面において、本発明方法を実施するための安全販売システムを提供する。本発明の装置には、安全手段と共に、所定の外部又は内部信号により解放可能か、遠隔作動により解放可能な連結手段が備わる。安全手段は、一つ又は多くの物を固定出来るセールスコンソールでも良い。安全手段はまた例えば、セキュリティーケーブルやセールスハンガーでも良い。
【００２８】  連結手段が異なる作動部を有し、その一つが所定の信号を受信するか、遠隔作動手段により起動されるインテリジェント部であるようにすることが出来る。このインテリジェント部は安全手段に、物又はその包装に、或いは一部が安全手段に、一部が物又はその包装に存するようにすることが出来る。
【００２９】  本発明の方法と組み合わせ可能な、又は独立して使用可能な任意選択の特徴が幾つかある。これ等の幾つかを、以下に述べる。本発明には、方法と独立して用いられるこれ等の特徴が含まれ、これ等の特徴の何れかを含んで成る方法も含まれている。
【００３０】  第一の任意選択の特徴は、購入者が第三者へのギフトとして物を得ようとする場合に、有用であろう。包装体が少なくとも一部透明であり、購入予定者に包装体を通して物が見えるようにする場合がしばしばある。物が基部に固定保管され、購入時に基部から解放されるようにする場合、包装体は物の包装として作用し、物を好ましく見せ、且つ輸送中に物を損傷から守ることが出来る。物がギフトの場合、この販売方法は、物を外側からは見えないようにするステップを含むようにすることが出来る。
【００３１】  このステップを行うには、多くの仕方がある。限定するものではない例として、包装体が例えば、電流を流すと、不透明になる透明材料から成るか、かかる材料を含むようにすることが出来る。他の例として、包装体を密閉要素を含んだドーム状に形成し、この密閉要素がドーム内でパラシュートのように開き、物を見えなくするようにすることが出来る。
【００３２】  物を見えなくするとき、それを装飾的に行い、包装が進物用包装や適宜のメッセージを組み込んだように見えるようにするのが良い。例えば、不透明になる透明材料の場合、この不透明さが進物用包装に似ていて、及び／又はハッピーバースデイ等の挨拶の言葉を担うようにすることが出来る。同様に、広がる密閉要素の場合には、進物用包装パターン及び／又は挨拶の言葉が広がった密閉要素上に見えるようにすることが出来る。
【００３３】  透明材料を不透明にさせると同様に、物を見えなくするために、透明材料を暗くさせたり、蛍光させたりしても良い。もう一つの実施例では、透明材料が装飾的目的又は情報目的にために動的ディスプレーを見せるようにすることが出来る。例えば、透明材料が３次元プラスティックスクリーンの形式を取り、その上に情報が投影されるか、装飾材料が投影されるようにすることが出来る。
【００３４】  もう一つのオプションは、包装体を物の周りに連結する場合や、物を基部に固定する場合の、連結手段の解放において遅延が伴うようにすることである。この構成には、多くの用途がある。例の幾つかを、以下に述べる。物が、誕生日又は他の祝賀のためのギフトとして購入されたとする。包装体を物の周りに固定する連結手段を指令して、誕生日等の所定の日のみに解放させるようにすることが出来る。もう一つの例は、プログラムによるコマンドが与えられた後に初めて、連結手段に対する解放の指令がなされる場合である。コマンドは電子形式を含むどんな形式を取っても良いが、聴覚的形式のものが極めて便宜的である。従って、購入者は購入時に、ギフトの驚かせ効果を高めるためことばのコマンドを選ぶことが出来る。
【００３５】  本発明はまた、物の新規な包装であって、一つ又は複数の包装体と、遠隔作動により解放可能であり、包装体に物を固定出来る連結手段とを含んでなる包装を提供する。
【００３６】  本発明の包装は、本発明の方法に関連して既述の特徴の何れをも組み入れることが出来る。更に、これ等の特徴の何れかを、本発明の方法とは独立して用いることも出来る。
【００３７】  本発明の包装はまた、衛星による広域位置決め等の広域位置決定システム技術を介して、包装が追跡されるようにする手段を組み込むことが出来る。これは多くの面で有用である。一つは、盗難の場合に、物の位置を突き止めることである。もう一つは、包装状態で物が紛失した場合に、購入者にサービスを提供することである。更にもう一つは、包装状態の物の位置を追跡することによる実市場の人口統計学的データを提供することである。
【００３８】  盗難の問題に関し、物を許可無く所定の場所（店内や空港ターミナル）を越えて移動する試みがなされたとき、アラームを作動させるアラーム作動手段を含むことが出来る。この場合、本発明の包装内の物が正式に購入されると、包装内のアラーム作動手段が無効になるようにすることが出来る。
【００３９】  本発明の包装が照明手段を、好ましくは内部に含むようにすることは任意選択である。これは、包装内の物を見やすくする。
【００４０】  物へのアクセスを制御する本発明方法は、物、即ち製品の保存寿命の満了を表示するのに用いることが出来る。この場合、所定期間の満了に（所定日になったら）供給される信号を所定信号とすることが出来る。物、即ち製品を包装内に固定保管する連結手段の解放を、この信号が生じるようにすることが出来る。
【００４１】  本発明のこの側面における方法は、物の有効寿命又はその保存寿命が満了したことを知ることが重要な物に対して特に用途があろう。一例は、保存期間の経過後は健康脅威を惹起し得る腐敗しやすい食品である。もう一つの例は、効力が保存期間の経過と共に変化する薬品である。連結手段が使用最終日に自由になるようにプログラムされていれば、単純な検査で、薬等の物が用いたら危険かどうかが分かる。包装が開いていれば、薬は使用されるべきではない。同方法は、種々の異なる目的に対し、極めて広範囲の物に対して適用が可能である。
【００４２】  もう一つの側面においては、連結手段が所定の誕生日又は記念日に自由になるようにプログラムされるようにすることが出来る。
【００４３】  本発明の方法は例えば、航空部品へのアクセスを制限するのにも有用である。この例では、認可されたサービスマニュアルが連結手段に対して所定のアクセス距離に入ると、信号が発せられるようにすることが出来る。これにより、無許可の者が航空部品に触れるのを阻止することが出来る。
【００４４】  類似の目的には、危険薬品への無許可のアクセスの阻止や、チェーン保管を確立して、刑事手続において証拠にアクセスできないようにすることである。
【００４５】  もう一つの側面において、物又はその包装が所定場所内又は所定区域外にあると、信号が供給されるようにすることが出来る。包装が安全で、確実、衛生的且つ許可された場所で開けられるようにするため、所定信号が広域位置決定システムからの含むようにすることが出来る。従って、或国では使用又はアクセスが認められていない商品を例えば、商品がその国を離れるまで包装内に固定保管するようにすることが出来る。
【００４６】  本発明の包装又は物自体が、物に関する情報を提供できる手段を含むようにすることも出来る。かかる手段が例えば購入者の接近により、或いは触る等の購入者の積極的行為により作動されるようにすると良い。より洗練された実施例では、包装又は者が購入予定者と対話するようにし、この目的のためにスピーカーを技術モジュールに含ませるようにすることが出来る。
【００４７】  本発明はまた、本発明の方法の種々の側面に対して適宜の包装を提供する。
【実施態様】
【００４８】  図１に示されているように、一般参照番号１０で示された表示コンソールには、表示テーブル１２と適宜の大きさの支持体１４が備わる（便宜上、支持体１４は図２及び図３では省略されている）。ラップトップコンピュータ１６はキーボード１８とスクリーン２０を備える。
【００４９】  この実施例においては、図２及び図３から分かるように、ラップトップコンピュータ１６は表示テーブル１２ではなく、連結手段のインテリジェント要素を含み、これがラップトップトップコンピュータ１６を表示テーブル１２に連結するようにしている。
【００５０】  図１に見られるようにスクリーン２０は、この段階では「購入コードを入力してください」とのインストラクション２２を示している。販売用のラップトップコンピュータ１６は購入予定者により触れられかつ念入りに調べられることができるが、図２及び図２Ａを参照して説明されるように、表示テーブル１２に固定されたままである。
【００５１】  ラップトップコンピュータ１６のベース２４には、一つ又は複数の（好ましくは４個の）連結手段２６が設けられている。図２Ａに見られるように、接続手段２２はベース２４に二つの同心状溝２８及び３０が形成されている。溝２８は一定の断面をもち、ロック部品３２が入っている。溝３０は広い部分３４と狭い開口３６を有する。溝２８と溝３０の間に位置する壁３８は溝３０の広い部分３４と狭い開口３４を画成し、比較的可撓性のある材料から成る。この材料はベース２４の残部の材料と同じものでも良く、またベース２４の残部が壁３８より可撓性の少ない材料から成るようにしても良い。
【００５２】  表示テーブル１２にねじ込まれているのは連結リテーナ４０で、その縁部４２が次に溝３０の広い部分３４に嵌合し、これにより保持される。図２Ａに見られるように、ロック部品３２が図２Ａに図示の位置に留まる一方、壁３８は溝３０に向かって付勢され、連結リテーナ４０は溝３０内に保持される。
【００５３】  連結手段２６に与えられる適宜の信号（以下、更に詳細に説明する）により、ロック部品３２は溝２８内を上方に向かって移動し、図３Ａに図示の位置に達する。この構成では、壁３８は溝２８に向かって撓みが自由であり、従って縁部４２を連結リテーナ４０から解放し、図３に示すようにラップトップコンピュータ１６を表示テーブル１２から解放する。閉じ位置において連結リテーナ４０内に嵌合する部分４４は、ラップトップコンピュータ１６が表示テーブル１２からいったん解放されると、ラップトップコンピュータ１６の脚となる。図４から分かるように、ラップトップコンピュータ１６のベース２４は、各々が連結手段２６内に位置するかかる脚４４を４つ有する。
【００５４】  前記のように、図１において購入コードの入力を促すインストラクション２２がスクリーン２０に入っている。購入コードの入力は、客がラップトップコンピュータ１６を購入したとき店員又は、過去の購入により購入コードが与えられている場合は、客が、することができる。購入コードは種々の方法で行うことが出来る。例えば、このコードを単にキーボードにタイプする。他の例としては、購入コードが携帯電話や他の適宜の送信装置等の他のハードウェア装置から発せられるようにしても良い。送信は種々の方法、例えばラップトップコンピュータ１６上の赤外線ポートへの赤外線送信で行うことが出来る。
【００５５】  正確なコードが入力されると、ラップトップコンピュータ１６は前記のように表示テーブル１２から解放され、スクリーン上に「購入承認」（図５参照）等の別のメッセージ又は指令２２を示すことが出来る。
【００５６】  次に図６及び図７を参照して、この実施例では電動工具４６が前の実施例における表示テーブル１２にではなく、安全ケーブル４８に連結されている。この構成は、この実施例における物（電動工具４６）の特質により適している。購入予定客は電動工具４６を手に取って、手にもってそれを回転させてみたがるかもしれない。前の実施例におけるラップトップコンピュータ１６は通常、表示テーブル１２上に平らに固定されたまま調べることが可能である。
【００５７】  図７から分かるように、安全ケーブル４８は電動工具４６に、出願ＰＣＴ／ＡＵ９９／００１８５に図示のモンキーグリップ形式の連結手段５０を介して連結されている。適宜の信号が連結手段５０に与えられると、連結手段５０は電動工具４６から解放される。この解放の仕方は種々の方法で行うことが可能であり、その幾つかを以下に述べる。電動工具４６には、インストラクション又はメッセージ５４を見えるようにしたスクリーン５２とデータ入力ボタン５６、５８及び６０が備わる。前の実施例に対して説明したのと同様の仕方で、購入コードはボタン５６、５８及び６０を用いて店員又は購入者により入力が可能であり、その結果、電動工具４６が安全ケーブル４８から解放される。
【００５８】  他の構成においては、安全ケーブル４８がデビット又はクレジットカードを「通す」ための電子装置と通信する。購入予定者は自分のカードをこの電子装置（図示せず）に通すことが出来、これにより直ちに安全ケーブル４８が電動工具４６から解放させることが出来る。少し異なった構成では、カードを通した後、購入予定者は例えばボタン５８を押して売買を確認したり、ボタン６０を押してそれを取り消すことにより売買を確認する、又は取り消す選択の自由がある。この場合では、ボタン５８を介しての確認の後にのみ、安全ケーブル４８は電動工具から解放される。
【００５９】  図８〜１４に示す実施例は、空港のターミナルにおける免税品の購入に付き特に適している。
【００６０】  本発明に従って、免税品「店」を空港ターミナルに、販売や支払い処理を助ける現場人員の必要無しに設立することが出来る。かかる「店」は、日２４時間制で旅行者に対して利用可能になろう。
【００６１】  先ず図８を参照して、基部６６（図９参照）に取り付けられた通常透明な鐘形覆い（ドーム）６２内に腕時計６２が封入され、基部６６は次いでセールスコンソール６８に取り付けられている。セールスコンソール６８が同様な又は異なる特質の他の包装品の取り付け手段になるようにしても良い（例えば図１０参照）。セールスコンソール６８は、セールスコンソール６８のための望ましいケーブルや結線を有しても良い台架７６に支持されている。
【００６２】  この実施例では、遠隔作動により解放可能な連結手段７０（図１２参照）によって透明なドーム６４が基部６６に取り付けられている。これ等は、国際特許出願ＰＣＴ／ＡＵ９９／００１８５に記載されているように「知的従順」な性質のものである。基部６６自体は、遠隔作動により解放可能な周囲長ストリップ（条片）連結手段７２又は点的連結手段７４である連結手段によりセールスコンソール６８に取り付けられている。基部６４とベース６６は互いに連結して、腕時計を包装し、適切な売買取引が済んだら、客はこの包装物を持ち去ることが出来る。基部６６とセールスコンソール６８との連結は、適切な売買取引が済むまでは腕時計が「店」に留まるようにする安全のためのものである。
【００６３】  客の問い合わせに対応し、また売買取引を処理するため、「店」から離れたセンター部に売買促進者（図示せず）が通常位置付しており、この者にアクセスすることが出来る。かかる集中化販売促進者は著しく多数種の、このような「店」をサービスすることが出来る。
【００６４】  この販売促進者へのアクセスは、望ましい手段の何れによっても行うことが出来る。この例では、アクセスは有線又は携帯電話による。有線電話は「店」に設けることが出来る。携帯電話は通常、客自身の電話となろう。有線電話の場合には、販売促進者への直接リンクを設けたり、適宜の場所に表示される無料となる電話番号が利用できるようにすれば良い。携帯電話によるアクセスの場合には、無料番号が通常提供されることになる。
【００６５】  （アクセスの他の方法として、コンピュータターミナルを店に設けるようにして、インターネットによる。これの操作／動作に関しては、当業者に明白であろう。）
【００６６】  呼び出そうとする販売促進者への直接リンク又は無料番号は一般番号であっても、或いは客の関心対象である実際の物又は物の種類に特定なものであっても良い。
【００６７】  本発明の自動販売方法の作動させるため、種々のメニューをもつ自動化システムを用いることが出来るが、販売促進者をアクセス可能にするかどうかは任意選択である。このようにして、客は物の特性や、それが自分の意図する目的に合うかどかどうかに付いて問い合わせることが出来る。販売促進者の側も、客の最初の選択が適さないと分かった場合、客に他の物をすすめることが出来る。
【００６８】  販売促進者にアクセスすることに加えて又はその代わりに、見込み客に物（この場合、腕時計６２）について知らせる手段としてスピーカー７８とスクリーン８０をセールスコンソール６８が備えるようにすることが出来る。スクリーン８０上の表示とスピーカー７８を介した録音の開始は、見込み客が近づくと、又はクレジット又はデビットカードの予備的通しが有ると、或いは何か別の手段により起動するようにすることが出来る。
【００６９】  所定の物を客が購入するといったん決めれば、客は事実上、物を購入する申し出をする。販売促進者は物に対する支払いを適切な方法で処理することが出来る。例えば、販売促進者が客のクレジット又はデビットカードを借り方とする許可を受諾することも出来るし、又はＥＦＴＰＯＳシステムが資金を為替することも出来る。他の適宜の売買取引方法を用いても良い。
【００７０】  適切であればこの段階で、客はパッケージの「包装」を求めるかも知れない。これを行うには、既述の方法の幾つかを用いることが出来る。包みを「包装」するもう一つの方法としては、腕時計６２が最早見えなくなるようにドーム６４を蛍光させる等、活性化させるものがある。ドーム６４に挨拶のメッセージ、この場合「誕生日おめでとう」を組み込むことが出来る。販売促進者は、適宜のレセプタ（受容体）（図示せず）を含有するドーム６４と通信して、これ等の機構を起動することが出来る。通信は適宜のどんな手段によっても良いが、便宜的には電話で行うことが出来る。
【００７１】  更に、販売促進者はパッケージ内の連結手段が誕生日等の所定の日に開くようにプログラムを設定することが出来る。図１３に示すようにここでクロックチップ８４、コマンドモジュール８６及びバッテリー８８がこの目的のために提供される。ＧＰＳ（衛星による広域位置決定）モジュール９０は基部６６の追跡を可能に、又は基部６６が所望の位置に達するまで、又は所定の場所を離れるまでドーム６４が基部６６から解放されないようにするために設けられる。スピーカー９２と赤外読取装置９４がこの実施例では、既述のような本発明の包装の種々の能力を実現するために設けるハードウェアの例として示されている。表示モジュール９６は起動すると、ドーム６４を発光させ、それにより所望のメッセージ８２を表示させるようになっている。
【００７２】  売買取引が完了すると、販売促進者は基部６６を保持する連結手段７２又は７４が販売コンソール６８に対して解放状態になるようにする信号を（例えば電話により）連結手段７２又は７４に送る。連結手段７２は周囲連結形式のものであり、一方、連結手段７４はＰＣＴ／ＡＵ９９／００１８５に記載され、その図３６に図示されている「モンキーグリップ」形式のものであることができる。
【００７３】  基部６６がセールスコンソール６８から無断で外された場合、その検出の助けとして、基部６６はまた、空港周辺の適宜の場所で発生される信号用のセンサ（例えば赤外読み取り装置）を備えるようにすることが出来る。かかるセンサは、販売促進者が連結手段７２又は７４に解放するよう合図すると、無効になるようにされる。かかる信号が受信されなければ、センサは作動を続け、基部６６がチェックポイントを通過すると、アラームが鳴るようになる。
【００７４】  既述のように、基部６６はＧＰＳモジュール９０を介した広域位置決定システムによって追跡が可能な手段を組み入れ、盗難の場合に、又は在庫調べや統計情報の入力等別の目的のために基部６６を追跡可能とすることも出来る。
【００７５】  図１２に示すように連結手段７０を不作動（直接不作動又は既述のようにプログラムした不作動）にすることにより腕時計６２をドーム６４又は基部６６から解放することが出来るが、連結手段７０が連結手段７２又は７４と同時に解放されるようにすることは任意選択であることが理解されよう。
【００７６】  図１３の内容は上に述べた。図１４に示すように、基部６６の底面にはスピーカー９２、ＩＲ読み取り器９４、データジャック９８、電話ポート１００及びシリアルポート１０２と共にＬＣＤディスプレー１０４及びバーコード１０６が見られる。バーコード１０６は、売り手により更新可能とすることが出来る。
【００７７】  売買取引の間又は後に、表示賞品に対してゲームチャンスの機会が与えられるようにしても良い。これは販売促進者により、又は賞品又は物に用いられる本発明の包装との直接相互作用により容易になる。或いは又、ゲームチャンス自体を売買取引とし、客が参加料を支払うことによりゲームをする申し出をするようにしても良い。本発明はこの側面をも包括するものである。
【００７８】  次に図１５〜１７を参照して、各々に物１１２（図１６参照）、この場合ペンが含まれた複数のパッケージ１１０が取り付けられた「スマート」ハンガー１０８を示す。
【００７９】  ハンガー１０８の端部１１４は壁又は他の備品に固定され、パッケージ１１０が端部１１４からは外せないようにしてある。
【００８０】  ハンガー１０８は他端にフレア部１１８を有する。パッケージ１１０の開き穴１２０は、少なくともフレア部１１８がロック具１２２により拡大モードに保持されているとき（図１７参照）は、フレア部１１８が通るには狭すぎるようにしてある。
【００８１】  ロック具１２２は適宜の手段、例えばＰＣＴ／ＡＵ９９／００１８５に開示されているような手段により起動されるとき、フレア部１１８から溝１２４に沿って後退可能にしてある。この起動は、例えば客がデビット又はクレジットカードを「通した」後に、起こるようにすることが出来る。そこで直ちに、ロック具１２２はフレア部１１８から後退し、フレア部１１８が圧縮され、フレア部１１８に最も近いパッケージ１１０がハンガー１０８から外れるようにする。次いで、ロック具１２２はその初期位置に戻ってフレア部１１８を拡大モードに保持し、次のパッケージ１１０がハンガー１０８から外されるのを阻止する。
【００８２】  以上開示された種々の方法及び包装が、販売の実施及び物（商品）の保管の方法を抜本的に変え得るものであることが当業者に理解されよう。客が物の写真のみを見ることが出来るインターネットショッピングとは異なり、本発明の方法では物を実際に見ることが出来る。更に、物は包装具に保管された状態に有りながら、触れられるような包装とすることが出来、包装具はこの目的のために開口を有したり、開放自在にしたりすることが出来る。
【００８３】  本発明方法を用いることにより、スーパーマーケットの場合でも、商品を商品棚から解放出来、売買取引はその段階で（カード決済等により）既に完了されているなら、レジの必要は無い。
【００８４】  本発明方法及び包装のもう一つの利点は、正確な在庫場所を如何なる時点でもリアルタイムで知ることが出来ることである。交換在庫品の効率的注文が可能になる。従来型の在庫調整システムは不要になる。
【００８５】  更に、製造の時点で商品が本発明の包装に仕込まれ、広域位置決定システムを介して追跡可能な場合は、監査追跡を設定することが出来る。これには多くの方面で、例えば本物の商品の同定、正しい検疫手続の確保、通関の促進等の利点がある。例えば、かかる商品は本発明の包装に組み込まれる追跡機能を用いることにより、或国からの輸出及び別の国への輸入に対して、輸出の時点又はそれより前にでさえ通関が可能となる。
【図面の簡単な説明】
【図１】  表示コンソールの斜視図であり、ラップトップコンピュータをコンソールに連結した、本発明の第一の実施例を示す。
【図２】  図１の実施例の一部破断側面図である。
【図２Ａ】  図２の破断部の拡大図であり、連結手段の一実施例の詳細を示す。
【図３】  連結手段解放後の図１及び図２の実施例の一部破断側面図である。
【図３Ａ】  図３の破断部の拡大図であり、解放後の連結手段の詳細を示す。
【図４】  図１〜３に示すラップトップコンピュータを下から見た斜視図である。
【図５】  ラップトップコンピュータ解放後の図１の表示コンソールの斜視図である。
【図６】  安全ケーブルに連結された電動工具の側面図であり、本発明方法の第二の実施例を示す。
【図７】  連結手段解放後の図６の電動工具とケーブルの側面図である。
【図８】  本発明の包装の第一実施例を接続して組み込み、本発明方法の第一実施例に従って動作するセールスコンソールの斜視図である。
【図９】  コンソールから包装を解放した後の図８のコンソールを示し、この実施例の連結手段の第一形式を示す。
【図９Ａ】  この実施例の連結手段の第二形式を示す以外は図９と同様の図である。
【図１０】  図８のものと類似するが、多数包装及び物を設けたセールスコンソールの斜視図である。
【図１１】  図８〜１０における包装の斜視図であり、透明であったが、いま覆い隠しモードにあって、装飾と挨拶を見せる鐘形覆いを示す
【図１２】  包装を保形する連結手段の解放後の図８〜１２の包装の斜視図である。
【図１３】  図８〜１２の包装の斜視図であり、例としてモジュール、チップ等が包装の基部に位置付けられたものを示す。
【図１４】  図１２の包装を下から見た斜視図である。
【図１５】  本発明の包装の第二実施例であって、本発明方法の第４実施例に従って動作する販売ハンガーの斜視図である。
【図１６】  図１５の販売ハンガーと包装の正面図である。
【図１７】  図１５及び図１６の販売ハンガーの一部断面側面図である。
【図１】
0005452829.tif 000002
【図２】
0005452829.tif 000003
【図２Ａ】
0005452829.tif 000004
【図３】
0005452829.tif 000005
【図３Ａ】
0005452829.tif 000006
【図４】
0005452829.tif 000007
【図５】
0005452829.tif 000008
【図６】
0005452829.tif 000009
【図７】
0005452829.tif 000010
【図８】
0005452829.tif 000011
【図９】
0005452829.tif 000012
【図９Ａ】
0005452829.tif 000013
【図１０】
0005452829.tif 000014
【図１１】
0005452829.tif 000015
【図１２】
0005452829.tif 000016
【図１３】
0005452829.tif 000017
【図１４】
0005452829.tif 000018
【図１５】
0005452829.tif 000019
【図１６】
0005452829.tif 000020
【図１７】
0005452829.tif 000021